Podtech/llm-jp-corpus-v4-ja_patent huggingface dataset:
【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
情報を磁性体の磁化状態により保持する記憶層と、
上記記憶層に記憶された情報の基準となる磁化を有する磁化固定層と、
上記記憶層と上記磁化固定層の間に設けられる非磁性体による中間層と、
を有し、
上記記憶層、上記中間層、上記磁化固定層を有する層構造の積層方向に流れる電流に伴って発生するスピントルク磁化反転を利用して上記記憶層の磁化を反転させることにより情報の記憶を行うとともに、
上記記憶層の飽和磁化をＭｓ（ｅｍｕ／ｃｃ）、上記記憶層の膜厚をｔ（ｎｍ）としたときに、
（１４８９／Ｍｓ）−０．５９３＜ｔ＜（６８２０／Ｍｓ）−１．５５
を満たす記憶素子。
【請求項２】
上記記憶層及び上記磁化固定層は、膜面に対して垂直な磁化を有する請求項１に記載の記憶素子。
【請求項３】
上記中間層と反対側において上記記憶層に隣接するキャップ層を有する請求項１又は請求項２に記載の記憶素子。
【請求項４】
上記記憶層の膜厚ｔ（ｎｍ）は、４０（ｎｍ）〜７０（ｎｍ）の範囲内である請求項１乃至請求項３のいずれかに記載の記憶素子。
【請求項５】
上記記憶層はＣｏとＦｅの少なくとも一方を含む磁性層と、導電性の酸化物層が、交互に積層された構造を有する垂直磁化膜である請求項１乃至請求項４のいずれかに記載の記憶素子。
【請求項６】
情報を磁性体の磁化状態により保持する記憶素子と、
互いに交差する２種類の配線とを備え、
上記記憶素子は、
情報を磁性体の磁化状態により保持する記憶層と、上記記憶層に記憶された情報の基準となる磁化を有する磁化固定層と、上記記憶層と上記磁化固定層の間に設けられる非磁性体による中間層とを有し、上記記憶層、上記中間層、上記磁化固定層を有する層構造の積層方向に流れる電流に伴って発生するスピントルク磁化反転を利用して上記記憶層の磁化を反転させることにより情報の記憶を行うとともに、上記記憶層の飽和磁化をＭｓ（ｅｍｕ／ｃｃ）、上記記憶層の膜厚をｔ（ｎｍ）としたときに、
（１４８９／Ｍｓ）−０．５９３＜ｔ＜（６８２０／Ｍｓ）−１．５５
を満たす構成とされ、
上記２種類の配線の間に上記記憶素子が配置され、
上記２種類の配線を通じて、上記記憶素子に上記積層方向の電流が流れ、これに伴ってスピントルク磁化反転が起こる記憶装置。
【手続補正２】
【補正対象書類名】明細書
【補正対象項目名】０００６
【補正方法】変更
【補正の内容】
【０００６】
なかでもＭＲＡＭは、磁性体の磁化方向によりデータ記憶を行うために高速かつほぼ無限（１０15回以上）の書換えが可能であり、すでに産業オートメーションや航空機などの分野で使用されている。ＭＲＡＭはその高速動作と信頼性から、今後コードストレージやワーキングメモリへの展開が期待されているものの、現実には低消費電力化、大容量化に課題を有している。これはＭＲＡＭの記録原理、すなわち配線から発生する電流磁界により磁化を反転させるという方式に起因する本質的な課題である。
この問題を解決するための一つの方法として、電流磁界によらない記録、すなわち磁化反転方式が検討されている。なかでもスピントルク磁化反転に関する研究は活発である（たとえば、特許文献１、２、３、非特許文献１、２参照）。
【手続補正書】
【提出日】平成26年4月1日(2014.4.1)
【手続補正１】
【補正対象書類名】特許請求の範囲
【補正対象項目名】全文
【補正方法】変更
【補正の内容】
【特許請求の範囲】
【請求項１】
投影光学系を有し、前記投影光学系を介して基板を露光する露光装置であって、
前記投影光学系の温度計測箇所の温度を計測する温度計測部と、
前記温度計測部によって計測された温度の変化に基づいて前記投影光学系の光学特性の変化を予測し、その予測に基づいて前記光学特性の変化による前記基板に形成される像の状態の変化を低減する処理を実行するコントローラと、を備え、
前記コントローラは、前記温度計測箇所の温度の変化に対する２次遅れ応答関数に従って前記光学特性の変化を予測する、
ことを特徴とする露光装置。
【請求項２】
前記温度計測部によって温度を計測して前記光学特性の変化を予測する処理を実行する時間間隔の最小値をΔｔｍｉｎ、前記２次遅れ応答関数における時定数の最大値をτｍａｘとしたときに、Δｔｍｉｎ／τｍａｘ≦０．３が満たされる、
ことを特徴とする請求項１に記載の露光装置。
【請求項３】
前記温度計測部は、前記投影光学系の複数の温度計測箇所の温度を計測するように構成されている、
ことを特徴とする請求項１又は２に記載の露光装置。
【請求項４】
前記２次遅れ応答関数は、前記温度計測箇所における温度の変化と前記投影光学系の光学特性の変化との関係の実測に基づいて決定されている、
ことを特徴とする請求項１乃至３のいずれか１項に記載の露光装置。
【請求項５】
前記投影光学系の光学素子を駆動する駆動部を更に備え、
前記コントローラは、前記光学特性の変化による前記基板に形成される像の状態の変化が低減されるように前記駆動部を制御する、
ことを特徴とする請求項１乃至４のいずれか１項に記載の露光装置。
【請求項６】
前記光学特性は、前記投影光学系の投影倍率を含む、
ことを特徴とする請求項１乃至５のいずれか１項に記載の露光装置。
【請求項７】
投影光学系を有し、前記投影光学系を介して基板を露光する露光装置であって、
原版を位置決めする原版位置決め機構および前記基板を位置決めする基板位置決め機構の少なくとも一方を有し、前記原版位置決め機構および前記基板位置決め機構の前記少なくとも一方から前記投影光学系に伝わる熱量の変化に基づいて前記投影光学系の光学特性の変化を予測し、その予測に基づいて前記光学特性の変化による前記基板に形成される像の状態の変化を低減する処理を実行するコントローラと、を備え、
前記コントローラは、前記熱量の変化に対する２次遅れ応答関数に従って前記光学特性の変化を予測する、
ことを特徴とする露光装置。
【請求項８】
前記２次遅れ応答関数は、前記熱量の変化と前記投影光学系の光学特性の変化との関係の実測に基づいて決定されている、
ことを特徴とする請求項７に記載の露光装置。
【請求項９】
デバイスを製造するデバイス製造方法であって、
請求項１乃至８のいずれか１項に記載の露光装置によって基板を露光する工程と、
前記工程で露光された基板を現像する工程と、
を含むことを特徴とするデバイス製造方法。
【手続補正２】
【補正対象書類名】明細書
【補正対象項目名】０００８
【補正方法】変更
【補正の内容】
【０００８】
本発明の１つの側面は、投影光学系を有し、前記投影光学系を介して基板を露光する露光装置に係り、前記露光装置は、前記投影光学系の温度計測箇所の温度を計測する温度計測部と、前記温度計測部によって計測された温度の変化に基づいて前記投影光学系の光学特性の変化を予測し、その予測に基づいて前記光学特性の変化による前記基板に形成される像の状態の変化を低減する処理を実行するコントローラと、を備え、前記コントローラは、前記温度計測箇所の温度の変化に対する２次遅れ応答関数に従って前記光学特性の変化を予測する。
【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
相互接続領域に少なくとも４つのコンタクトレベルのスタックを有する３次元積層ＩＣデバイスで使用され、前記コンタクトレベルのランドエリアにアライメントされ且つ該ランドエリアを露出させる相互接続コンタクト領域を形成する方法であって、各コンタクトレベルは導電層と絶縁層とを有し、当該方法は：
各コンタクトレベルのためのコンタクト開口を作り出すために、第１のコンタクトレベルを露出させるように、前記相互接続領域の上に位置する上部層の少なくとも一部を除去するステップと、
Ｎは２以上の整数として、前記コンタクトレベルの前記スタックに複数レベルの相互接続コンタクト領域を作り出すためのＮ個のエッチングマスクの組を選定するステップと、
前記Ｎ個のマスクを使用して、前記コンタクト開口を最大２Ｎ個のコンタクトレベルまでエッチングするステップであり、少なくとも：
第１のマスクを使用して、前記コンタクト開口のうちの実効的に半数で、１つのコンタクトレベルをエッチングするステップ；及び
第２のマスクを使用して、前記コンタクト開口のうちの実効的に半数で、２つのコンタクトレベルをエッチングするステップ；
を有するステップと、
を有し、
それにより、前記コンタクト開口を通って前記コンタクトレベルの前記ランドエリアに接触する導電体を形成することが可能にされる、
方法。
【請求項２】
前記除去するステップは、更なるマスクを用いて実行される、請求項１に記載の方法。
【請求項３】
前記第１のマスクを使用するステップは、前記第１のマスクを用いて１つおきのコンタクト開口で、１つのコンタクトレベルをエッチングすることを有し、
前記第２のマスクを使用するステップは、前記第２のマスクを用いて、少なくとも一組の第１乃至第４のコンタクト開口のうちの第３及び第４のコンタクト開口で、２つのコンタクトレベルをエッチングすることを有する、
請求項１又は２に記載の方法。
【請求項４】
前記Ｎ個のマスクを使用するステップは更に：
第３のマスクを使用して、前記コンタクト開口のうちの実効的に半数で、４つのコンタクトレベルをエッチングするステップ；及び
第４のマスクを使用して、前記コンタクト開口のうちの実効的に半数で、８つのコンタクトレベルをエッチングするステップ；
を有する、請求項１乃至３の何れか一項に記載の方法。
【請求項５】
前記第３のマスクを使用するステップは、前記第３のマスクを用いて、少なくとも一組の第１乃至第８のコンタクト開口のうちの第５乃至第８のコンタクト開口で、４つのコンタクトレベルをエッチングすることを有し、
前記第４のマスクを使用するステップは、前記第４のマスクを用いて、少なくとも一組の第１乃至第１６のコンタクト開口のうちの第９乃至第１６のコンタクト開口で、８つのコンタクトレベルをエッチングすることを有する、
請求項４に記載の方法。
【請求項６】
前記第１のマスクを使用するステップは、コンタクト開口２、４、６、８、１０、１２、１４、１６で１つのコンタクトレベルをエッチングするように実行され、
前記第２のマスクを使用するステップは、コンタクト開口３、４、７、８、１１、１２、１５、１６で２つのコンタクトレベルをエッチングするように実行され、
前記第３のマスクを使用するステップは、コンタクト開口５−８、１３−１６で４つのコンタクトレベルをエッチングするように実行され、
前記第４のマスクを使用するステップは、コンタクト開口９−１６で８つのコンタクトレベルをエッチングするように実行される、
請求項４に記載の方法。
【請求項７】
前記第１のマスクを使用するステップは、コンタクト開口２、４、６、８、１０、１２、１４、１６で８つのコンタクトレベルをエッチングするように実行され、
前記第２のマスクを使用するステップは、コンタクト開口５、６、７、８、１３、１４、１５、１６で２つのコンタクトレベルをエッチングするように実行され、
前記第３のマスクを使用するステップは、コンタクト開口３、４、７、８、１１、１２、１５、１６で４つのコンタクトレベルをエッチングするように実行され、
前記第４のマスクを使用するステップは、コンタクト開口９−１６で１つのコンタクトレベルをエッチングするように実行される、
請求項４に記載の方法。
【請求項８】
前記コンタクトレベルを貫通するグランドコンタクト開口を作り出すステップと、
前記コンタクトレベルの複数の前記導電層と電気的に接触するように、前記グランドコンタクト開口内にグランド導電体を形成するステップと、
を更に有する請求項１乃至７の何れか一項に記載の方法。
【請求項９】
前記グランドコンタクト開口はグランドコンタクト開口側壁を有し、当該方法は更に：
前記グランド導電体が前記グランド導電体と前記コンタクトレベルの前記複数の前記導電層との間に強化された電気接触を生成するように、前記グランド導電体を形成するステップに先立って、前記グランドコンタクト開口側壁において前記絶縁層の一部を除去するステップ、
を更に有する請求項８に記載の方法。
【請求項１０】
前記使用するステップは、エッチングされるコンタクトレベルの数順とは異なる順序で実行される、請求項１乃至９の何れか一項に記載の方法。
【請求項１１】
前記コンタクト開口は側壁を有し、当該方法は更に、該側壁に誘電体層を形成するステップを有する、請求項１乃至１０の何れか一項に記載の方法。
【請求項１２】
相互接続領域の、少なくとも第１、第２、第３及び第４のコンタクトレベルのスタックであり、各コンタクトレベルが導電層と絶縁層とを有する、スタックと、
前記コンタクトレベルのスタックの一部を貫通する第１、第２、第３及び第４の導電体であり、それぞれ、前記第１、第２、第３及び第４のコンタクトレベルの前記導電層と電気的に接触する第１、第２、第３及び第４の導電体と、
前記第２、第３及び第４の導電体がそれぞれ前記第２、第３及び第４の導電層とのみ電気的に接触するように、前記第２、第３及び第４の導電体の周囲を取り囲む誘電体側壁スペーサと、
を有する３次元積層ＩＣデバイス。
【請求項１３】
前記第１、第２、第３及び第４の導電体は一定のピッチを有する、請求項１２に記載の積層ＩＣデバイス。
【請求項１４】
前記第１、第２、第３及び第４の導電体の位置は、共通マスクによって決定可能である、請求項１２又は１３に記載の積層ＩＣデバイス。
【請求項１５】
前記コンタクトレベルのスタックの一部を貫通し且つ前記第１、第２、第３及び第４のコンタクトレベルの前記導電層の各々と電気的に接触するグランド導電体、を更に有する請求項１２乃至１４の何れか一項に記載の積層ＩＣデバイス。
【請求項１６】
前記第１、第２、第３及び第４の導電体並びに前記グランド導電体の位置は、共通マスクによって決定可能である、請求項１５に記載の積層ＩＣデバイス。
【手続補正書】
【提出日】平成26年2月4日(2014.2.4)
【手続補正１】
【補正対象書類名】明細書
【補正対象項目名】００４９
【補正方法】変更
【補正の内容】
【００４９】
（実施例３）
実施例３の太陽電池は、透明薄膜層として、ＰＥＣＶＤ法によりＳｉＮを主成分とする層（屈折率約２．２、膜厚１０ｎｍ）を成膜したことを除き、実施例１の太陽電池の構造と同様である。実施例３の太陽電池の開放電圧は６２０ｍＶであり、参照例の開放電圧と同等であった。
【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
画像処理装置であって、
記憶手段と、
前記記憶手段においてエラーが発生している場合に、前記記憶手段の使用が制限される縮退動作を行うように前記画像処理装置を制御する制御手段とを備え、
特定のアプリケーションが前記記憶手段に記憶されているか否かに基づいて、前記制御手段は、前記縮退動作を行うように前記画像処理装置を制御するか否かを切り替えることを特徴とする画像処理装置。
【請求項２】
前記特定のアプリケーションが前記記憶手段に記憶されているか否かを判定する判定手段を更に備え、
前記記憶手段においてエラーが発生している場合であって、かつ、前記前記特定のアプリケーションが前記記憶手段に記憶されていないと前記判定手段によって判定された場合に、前記制御手段は、前記縮退動作を行うように前記画像処理装置を制御し、
前記記憶手段においてエラーが発生している場合であって、かつ、前記前記特定のアプリケーションが前記記憶手段に記憶されていると前記判定手段によって判定された場合に、前記制御手段は、前記縮退動作を行うように前記画像処理装置を制御しないことを特徴とする請求項１に記載の画像処理装置。
【請求項３】
前記記憶手段においてエラーが発生したことを検知したことに応じて、前記判定手段は、前記特定のアプリケーションが前記記憶手段に記憶されているか否かを判定することを特徴とする請求項２に記載の画像処理装置。
【請求項４】
前記特定のアプリケーションは、セキュリティ機能に関するアプリケーションであることを特徴とする請求項１乃至３のいずれか１項に記載の画像処理装置。
【請求項５】
前記セキュリティ機能に関するアプリケーションは、ユーザ認証に関するアプリケーションであることを特徴とする請求項４に記載の画像処理装置。
【請求項６】
前記セキュリティ機能に関するアプリケーションは、前記記憶手段に記憶するデータを暗号化するためのアプリケーションであることを特徴とする請求項４に記載の画像処理装置。
【請求項７】
前記記憶手段においてエラーが発生している場合であって、かつ、前記特定のアプリケーションが前記記憶手段に記憶されている場合に、エラーメッセージを表示する表示手段を更に備えることを特徴とする請求項１乃至６のいずれか１項に記載の画像処理装置。
【請求項８】
前記記憶手段はハードディスクであることを特徴とする請求項１乃至７のいずれか１項に記載の画像処理装置。
【請求項９】
記憶手段を備える画像処理装置の制御方法であって、
前記記憶手段においてエラーが発生したことを検知する検知工程と、
前記検知工程においてエラーが発生したことを検知した場合であって、かつ、特定のアプリケーションが前記記憶手段に記憶されている場合に、前記記憶手段の使用が制限される縮退動作を行うように前記画像処理装置を制御し、前記検知工程においてエラーが発生したことを検知した場合であって、かつ、前記特定のアプリケーションが前記記憶手段に記憶されていない場合に、前記縮退動作を行うように前記画像処理装置を制御する制御工程と
を有することを特徴とする画像処理装置の制御方法。
【請求項１０】
前記特定のアプリケーションは、セキュリティ機能に関するアプリケーションであることを特徴とする請求項９に記載の画像処理装置の制御方法。
【請求項１１】
前記セキュリティ機能に関するアプリケーションは、ユーザ認証に関するアプリケーションであることを特徴とする請求項１０に記載の画像処理装置の制御方法。
【請求項１２】
前記セキュリティ機能に関するアプリケーションは、前記記憶手段に記憶するデータを暗号化するためのアプリケーションであることを特徴とする請求項１０に記載の画像処理装置の制御方法。
【請求項１３】
請求項９乃至１２のいずれか１項に記載の画像処理装置の制御方法をコンピュータに実行させるためのプログラム。
【手続補正２】
【補正対象書類名】明細書
【補正対象項目名】発明の名称
【補正方法】変更
【補正の内容】
【発明の名称】画像処理装置、画像処理装置の制御方法及びプログラム
【手続補正３】
【補正対象書類名】明細書
【補正対象項目名】０００５
【補正方法】変更
【補正の内容】
【０００５】
本発明の画像処理装置は、記憶手段と、前記記憶手段においてエラーが発生している場合に、前記記憶手段の使用が制限される縮退動作を行うように前記画像処理装置を制御する制御手段とを備え、特定のアプリケーションが前記記憶手段に記憶されているか否かに基づいて、前記制御手段は、前記縮退動作を行うように前記画像処理装置を制御するか否かを切り替えることを特徴とする。
【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
適切なＩＰアドレスが設定されている第１の装置と、前記第１の装置とルータを介して接続されている適切なＩＰアドレスが設定されている第２の装置とを有するデータ通信システムであって、
前記第１の装置は、
ＩＰアドレスを設定するための第３の装置を特定する特定手段と、
前記特定手段で特定した前記第３の装置に対し、所定のＩＰアドレスを設定するよう前記第２の装置に依頼する依頼手段とを有し、
前記第２の装置は、
前記依頼手段による依頼を受け付ける受付手段と、
前記受付手段で受け付けた依頼に従って前記特定手段により特定された前記第３の装置に前記所定のＩＰアドレスを設定する設定手段とを有することを特徴とするデータ通信システム。
【請求項２】
前記第１の装置は、
装置を探索するための探索要求を発行する第１探索手段を有し、
前記特定手段は、前記第１探索手段による探索により見つかった前記第３の装置のＭＡＣアドレスを受信し、
前記依頼手段は、前記探索手段による探索により見つかった前記第２の装置に対し前記第３の装置に対する前記所定のＩＰアドレスの設定を依頼する設定リクエストを送信し、前記設定リクエストには前記ＭＡＣアドレスが含まれることを特徴とする請求項１に記載のデータ通信システム。
【請求項３】
前記第２の装置は、
前記第１探索手段による探索を受けた場合、同一サブネット内に存在する適切なＩＰアドレスが設定されていない前記第３の装置を探索する第２の探索手段と、
前記第２の探索手段により見つかった適切なＩＰアドレスが設定されていない前記第３の装置のＭＡＣアドレスを前記第１の装置に通知する通知手段とを有することを特徴とする請求項２に記載のデータ通信システム。
【請求項４】
データ通信装置であって、
ルータを介してホスト装置が発行した装置を探索するための探索要求を受信した場合、前記データ通信装置と同じサブネット内に存在する適切なＩＰアドレスを持たない装置を探索する探索手段と、
前記探索手段の探索結果として前記適切なＩＰアドレスを持たない装置のＭＡＣアドレスを受信する受信手段と、
前記ホスト装置に前記ＭＡＣアドレスを通知する通知手段と、
前記ホスト装置から新規ＩＰアドレスと前記ＭＡＣアドレスを含む設定リクエストを受信した場合、前記設定リクエストに含まれる前記新規ＩＰアドレスを前記ＭＡＣアドレスにより特定される装置に設定する設定手段を備えることを特徴とするデータ通信装置。
【請求項５】
前記新規ＩＰアドレスが前記ＭＡＣアドレスにより特定される装置に設定された場合、設定完了通知が前記ホスト装置に送信されることを特徴とする請求項４に記載のデータ通信装置。
【請求項６】
前記ルータは前記適切なＩＰアドレスを持たない装置からのレスポンスを前記ホスト装置に送信しないことを特徴とする請求項４または５に記載のデータ通信装置。
【請求項７】
データ通信装置を、
ルータを介してホスト装置が発行した装置を探索するための探索要求を受信した場合、前記データ通信装置と同じサブネット内に存在する適切なＩＰアドレスを持たない装置を探索する探索手段と、
前記探索手段の探索結果として前記適切なＩＰアドレスを持たない装置のＭＡＣアドレスを受信する受信手段と、
前記ホスト装置に前記ＭＡＣアドレスを通知する通知手段と、
前記ホスト装置から新規ＩＰアドレスと前記ＭＡＣアドレスを含む設定リクエストを受信した場合、前記設定リクエストに含まれる前記新規ＩＰアドレスを前記ＭＡＣアドレスにより特定される装置に設定する設定手段として機能させるための前記データ通信装置が読み取り可能なプログラム。
【請求項８】
前記新規ＩＰアドレスが前記ＭＡＣアドレスにより特定される装置に設定された場合、設定完了通知が前記ホスト装置に送信されることを特徴とする請求項７に記載のプログラム。
【請求項９】
前記ルータは前記適切なＩＰアドレスを持たない装置からのレスポンスを前記ホスト装置に送信しないことを特徴とする請求項７または８に記載のプログラム。
【手続補正２】
【補正対象書類名】明細書
【補正対象項目名】０００６
【補正方法】変更
【補正の内容】
【０００６】
上記課題を解決するため、本発明のデータ通信システムは、適切なＩＰアドレスが設定されている第１の装置と、前記第１の装置とルータを介して接続されている適切なＩＰアドレスが設定されている第２の装置とを有するデータ通信システムであって、前記第１の装置は、ＩＰアドレスを設定するための第３の装置を特定する特定手段と、前記特定手段で特定した前記第３の装置に対し、所定のＩＰアドレスを設定するよう前記第２の装置に依頼する依頼手段とを有し、前記第２の装置は、前記依頼手段による依頼を受け付ける受付手段と、前記受付手段で受け付けた依頼に従って前記特定手段により特定された前記第３の装置に前記所定のＩＰアドレスを設定する設定手段とを有する。
【手続補正書】
【提出日】平成26年5月9日(2014.5.9)
【手続補正１】
【補正対象書類名】明細書
【補正対象項目名】００１０
【補正方法】変更
【補正の内容】
【００１０】
本発明の目的を達成するために、例えば、本発明の画像処理装置は、動画像を構成する複数のフレームの画像を入力する入力手段と、
前記複数のフレームの画像のうち第１フレームの画像に対するオブジェクト検出によって該第１フレームの画像における特定領域を特定すると共に、前記複数のフレームの画像のうち第２フレームの画像における特定領域を、前記第１フレームの画像における特定領域に基づいて特定する特定手段と、
前記第２フレームの画像における特定領域が他のフレームから参照されないように符号化する符号化手段と
を備えることを特徴とする。
【手続補正２】
【補正対象書類名】特許請求の範囲
【補正対象項目名】全文
【補正方法】変更
【補正の内容】
【特許請求の範囲】
【請求項１】
動画像を構成する複数のフレームの画像を入力する入力手段と、
前記複数のフレームの画像のうち第１フレームの画像に対するオブジェクト検出によって該第１フレームの画像における特定領域を特定すると共に、前記複数のフレームの画像のうち第２フレームの画像における特定領域を、前記第１フレームの画像における特定領域に基づいて特定する特定手段と、
前記第２フレームの画像における特定領域が他のフレームから参照されないように符号化する符号化手段と
を備えることを特徴とする画像処理装置。
【請求項２】
前記符号化手段は、前記第２フレームの画像が前記他のフレームの画像の符号化のために参照されないように、前記第２フレームの画像を双方向予測符号化方式で符号化することを特徴とする請求項１に記載の画像処理装置。
【請求項３】
前記特定手段は、前記第２フレームの画像における特定領域を、前記第２フレームより前のフレームである前記第１フレームの画像に対するオブジェクト検出によって特定された特定領域の位置と、前記第２フレームより後のフレームである第３フレームの画像に対するオブジェクト検出によって特定された特定領域の位置と、から特定することを特徴とする請求項１又は２に記載の画像処理装置。
【請求項４】
前記特定手段は、前記第２フレームの画像における特定領域を、前記第２フレームより前のフレームである前記第１フレームの画像に対するオブジェクト検出によって特定された特定領域の位置と、前記第２フレームより前で前記第１フレームよりも後のフレームである第３フレームの画像に対するオブジェクト検出によって特定された特定領域の位置と、から特定することを特徴とする請求項１又は２に記載の画像処理装置。
【請求項５】
前記符号化手段は、フレーム内符号化方式で符号化したフレームより所定フレーム数以降のフレームのうち、前記オブジェクト検出によって特定領域が特定されるフレームから、前記フレーム内符号化方式で符号化する前記第１フレームの画像を決定することを特徴とする請求項１乃至４の何れか１項に記載の画像処理装置。
【請求項６】
前記符号化手段は、前記オブジェクト検出によって特定領域が特定される前記第１フレームの画像を、フレーム内符号化方式若しくは前方向予測符号化方式によって符号化することを特徴とする請求項１乃至４の何れか１項に記載の画像処理装置。
【請求項７】
前記符号化手段は、前記特定領域が、非特定領域よりも高画質で符号化されるように符号化することを特徴とする請求項１乃至６の何れか１項に記載の画像処理装置。
【請求項８】
画像処理装置が行う画像処理方法であって、
前記画像処理装置の入力手段が、動画像を構成する複数のフレームの画像を入力する入力工程と、
前記画像処理装置の特定手段が、前記複数のフレームの画像のうち第１フレームの画像に対するオブジェクト検出によって該第１フレームの画像における特定領域を特定すると共に、前記複数のフレームの画像のうち第２フレームの画像における特定領域を、前記第１フレームの画像における特定領域に基づいて特定する特定工程と、
前記画像処理装置の符号化手段が、前記第２フレームの画像における特定領域が他のフレームから参照されないように符号化する符号化工程と
を備えることを特徴とする画像処理方法。
【請求項９】
前記符号化工程では、前記第２フレームの画像が前記他のフレームの画像の符号化のために参照されないように、前記第２フレームの画像を双方向予測符号化方式で符号化することを特徴とする請求項８に記載の画像処理方法。
【請求項１０】
前記特定工程では、前記第２フレームの画像における特定領域を、前記第２フレームより前のフレームである前記第１フレームの画像に対するオブジェクト検出によって特定された特定領域の位置と、前記第２フレームより後のフレームである第３フレームの画像に対するオブジェクト検出によって特定された特定領域の位置と、から特定することを特徴とする請求項８又は９に記載の画像処理方法。
【請求項１１】
コンピュータを、請求項１乃至７の何れか１項に記載の画像処理装置の各手段として機能させるためのコンピュータプログラム。
【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
他の通信制御装置との通信であって、特定の無線端末と他の無線端末に対する動作を区別するための端末グループ分けに関する情報の通信を制御する通信制御部、
を備える、通信制御装置。
【請求項２】
前記通信制御部は、前記他の通信制御装置が前記端末グループ分けを行っているか否かを問い合わせる通信を制御する、請求項１に記載の通信制御装置。
【請求項３】
前記通信制御部は、前記他の通信制御装置における前記端末グループ分けを示す端末リストを問い合わせる通信を制御する、請求項１または２に記載の通信制御装置。
【請求項４】
前記通信制御部は、対象の無線端末を前記特定の無線端末として含む端末リストを前記他の通信制御装置が有するか否かを問い合わせる通信を制御する、請求項１〜３のいずれか一項に記載の通信制御装置。
【請求項５】
前記通信制御部は、対象の無線端末との通信のために前記他の通信制御装置と連携する協調型通信への参加の可否を問い合わせる通信を制御する、請求項１〜４のいずれか一項に記載の通信制御装置。
【請求項６】
前記通信制御部は、前記他の通信制御装置からの問い合わせに応じて、前記通信制御装置が前記端末グループ分けを行っているか否かを示す情報の送信を制御する、請求項１〜５のいずれか一項に記載の通信制御装置。
【請求項７】
前記通信制御部は、前記他の通信制御装置からの問い合わせに応じて、前記通信制御装置が対象の無線端末を前記特定の無線端末として含む端末リストを有するか否かを示す情報の送信を制御する、請求項１〜６のいずれか一項に記載の通信制御装置。
【請求項８】
前記通信制御部は、前記通信制御装置が対象の無線端末を前記特定の無線端末として含む端末リストを有する場合、前記他の通信制御装置からの協調型通信への参加の可否の問い合わせに応じて、前記協調型通信への参加を示す情報の送信を制御する、請求項１〜７のいずれか一項に記載の通信制御装置
【請求項９】
前記通信制御装置は、
前記他の通信制御装置から受信される前記端末グループ分けを示す端末リストと、前記通信制御装置の有する端末リストとを比較するリスト比較部と、
前記リスト比較部により双方のリストが異なると判断された場合、前記通信制御装置の有する端末リストを、前記他の通信制御装置から受信される端末リストに一致させるリスト更新部と、
をさらに備える、請求項１〜８のいずれか一項に記載の通信制御装置。
【請求項１０】
前記通信制御装置は、
前記他の通信制御装置から受信される前記端末グループ分けを示す端末リストと、前記通信制御装置の有する端末リストとを比較するリスト比較部をさらに備え、
前記通信制御部は、前記リスト比較部により双方のリストが異なると判断された場合、前記他の通信制御装置の有する端末リストを、前記通信制御装置の有する端末リストに一致させることを要求する通信を制御する、請求項１〜８のいずれか一項に記載の通信制御装置。
【請求項１１】
前記通信制御装置は、
複数の他の通信制御装置の各々から受信される前記端末グループ分けを示す複数の端末リストを比較するリスト比較部と、
前記リスト比較部により前記複数の端末リストに他の端末リストと異なる端末リストが含まれると判断された場合、新たな端末リストを作成するリスト作成部と、
をさらに備え、
前記通信制御部は、前記リスト作成部により作成された前記新たな端末リストの前記複数の他の通信制御装置への送信を制御する、請求項１〜８のいずれか一項に記載の通信制御装置。
【請求項１２】
前記特定の端末は、前記通信制御装置への接続が許可される端末、または、前記通信制御装置へ優先接続される端末である、請求項１〜１１のいずれか一項に記載の通信制御装置。
【請求項１３】
他の通信制御装置との通信であって、特定の無線端末と他の無線端末に対する動作を区別するための端末グループ分けに関する情報の通信を制御する、通信制御方法。
【請求項１４】
コンピュータを、
他の通信制御装置との通信であって、特定の無線端末と他の無線端末に対する動作を区別するための端末グループ分けに関する情報の通信を制御する通信制御部、
として機能させるための、プログラム。
【請求項１５】
第１の通信制御装置と、
第２の通信制御装置と、
を備え、
前記第１の通信制御装置は、
前記第２の通信制御装置との通信であって、特定の無線端末と他の無線端末に対する動作を区別するための端末グループ分けに関する情報の通信を制御する通信制御部、を有する、通信システム。
【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
任意のセグメントでのワンセグメント放送の放送波を送信するステーションに関するエリア放送情報を取得する取得部と、
前記エリア放送情報を記憶する記憶部と、
前記エリア放送情報を用い、所定の位置において受信可能な前記ワンセグメント放送のステーションを、選局が可能な選局可能ステーションとして選択する選択部と、
前記選局可能ステーションの前記ワンセグメント放送を選局する選局制御を行う選局制御部と
を備える前記ワンセグメント放送の受信装置。
【請求項２】
前記選択部は、前記エリア放送情報を用い、ユーザが選択した地域において受信可能な前記ワンセグメント放送のステーションを、選局可能ステーションとして選択する
請求項１に記載の受信装置。
【請求項３】
前記エリア放送情報は、前記ワンセグメント放送の放送波が準拠している仕様の方式である方式タイプ、及び、前記ワンセグメント放送の放送波のセグメント数を示すセグメント運用モードを含み、
前記選択部は、前記方式タイプ及び前記セグメント運用モードを用い、対応可能な放送波を送信するステーションを、選局可能ステーションとして選択する
請求項１又は２に記載の受信装置。
【請求項４】
前記エリア放送情報は、前記ステーションが前記ワンセグメント放送を行っている期間であるサービス期間を含み、
前記選択部は、前記サービス期間内のステーションを、選局可能ステーションとして選択する
請求項１ないし３のいずれかに記載の受信装置。
【請求項５】
前記サービス期間は、前記ワンセグメント放送を行っている期間の開始日であるサービス開始日、及び、終了日であるサービス終了日、前記ワンセグメント放送を行っている曜日を指定する週間サービスパターン、並びに、前記ワンセグメント放送を行っている時間を指定する１日サービスパターンにより特定される
請求項４に記載の受信装置。
【請求項６】
前記選局制御部は、
前記選局可能ステーションの情報を表示させ、
前記選局可能ステーションの情報の表示から、ユーザが選択したステーションの前記ワンセグメント放送を選局させる
請求項１ないし５のいずれかに記載の受信装置。
【請求項７】
前記エリア放送情報は、通信接続を行う場合の無線IPアクセスポイントの識別情報である無線IPアクセスポイント識別を含み、
前記選択部は、無線IPアクセスポイントが検出された場合、その無線IPアクセスポイントから得られる識別子と同一の無線IPアクセスポイント識別が指定されたステーションを、選局可能ステーションとして選択し、
前記選局制御部は、選局可能ステーションの存在を報知する
請求項６に記載の受信装置。
【請求項８】
前記選局制御部は、
前記選局可能ステーションによる前記ワンセグメント放送が受信可能かどうかを確認する受信確認を行い、
ワンセグメント放送の受信を確認することができた前記選局可能ステーションのみの情報を表示させる
請求項１ないし７のいずれかに記載の受信装置。
【請求項９】
ワンセグメント放送の受信装置が、
任意のセグメントでのワンセグメント放送の放送波を送信するステーションに関するエリア放送情報を取得し、
前記エリア放送情報を記憶し、
前記エリア放送情報を用い、所定の位置において受信可能な前記ワンセグメント放送のステーションを、選局が可能な選局可能ステーションとして選択し、
前記選局可能ステーションの前記ワンセグメント放送を選局する選局制御を行う
ステップを含む受信方法。
【請求項１０】
任意のセグメントでのワンセグメント放送の放送波を送信するステーションに関するエリア放送情報を取得する取得部と、
前記エリア放送情報を記憶する記憶部と、
前記エリア放送情報を用い、所定の位置において受信可能な前記ワンセグメント放送のステーションを、選局が可能な選局可能ステーションとして選択する選択部と、
前記選局可能ステーションの前記ワンセグメント放送を選局する選局制御を行う選局制御部と
して、コンピュータを機能させるためのプログラム。
【手続補正書】
【提出日】平成26年5月13日(2014.5.13)
【手続補正１】
【補正対象書類名】明細書
【補正対象項目名】００１２
【補正方法】変更
【補正の内容】
【００１２】
本発明に係る色再現域圧縮方法は、均等色空間上の各格子点に、該格子点上の色値が該均等色空間において移動すべき方向を表すベクトルを割り当てるステップと、前記均等色空間上の入力色値に対する移動の方向を前記格子点に割り当てられたベクトルに基づいて求め、該入力色値を、出力装置の色再現域にマッピングするステップと、を含むことを特徴とする。
【手続補正２】
【補正対象書類名】特許請求の範囲
【補正対象項目名】全文
【補正方法】変更
【補正の内容】
【特許請求の範囲】
【請求項１】
均等色空間上の各格子点に、該格子点上の色値が該均等色空間において移動すべき方向を表すベクトルを割り当てるステップと、
前記均等色空間上の入力色値に対する移動の方向を前記格子点に割り当てられたベクトルに基づいて求め、該入力色値を、出力装置の色再現域にマッピングするステップと、
を含むことを特徴とする色再現域圧縮方法。
【請求項２】
前記マッピングするステップは、
前記均等色空間上の入力色値に対して、
ａ）１の入力色値に対する移動の方向を、前記ベクトルを用いた補間演算によって求め、
ｂ）前記求めた移動の方向に、入力色値を前記ベクトルの分だけ移動させ、
ｃ）前記移動した後の入力色値が、前記出力装置の色再現域の内にある場合は該色再現域にある色値を出力し、前記出力装置の色再現域の外にある場合は、前記移動した後の色値を次の入力色値とし、
ｄ）すべての入力色値について、前記ａ）からｃ）までのステップを繰り返す、
ことを特徴とする請求項１に記載の色再現域圧縮方法。
【請求項３】
前記ベクトルを割り当てるステップは、
前記均等色空間上の各格子点に、該均等色空間の原点に向かうベクトルを割り当てるステップと、
ソース色再現域のガマット表面上の特定の入力色値と前記出力装置の色再現域のガマット表面上の特定の出力色値との対応関係を定義するステップと、
前記定義された対応関係に基づいて、前記原点に向かうベクトルの向きを修正するステップと、
を含むことを特徴とする請求項１又は２に記載の色再現域圧縮方法。
【請求項４】
前記修正するステップは
ａ）前記定義された対応関係における前記特定の入力色値と前記特定の出力色値とを結ぶラインを定義し、
ｂ）前記定義されたラインを構成する単位ベクトルを求め、
ｃ）前記求められた単位ベクトルの開始位置から所定の範囲内にある格子点を取得し、
取得された格子点と前記開始位置との距離を計算して、該計算された距離に基づく重みをかけたベクトルを前記取得された格子点のベクトルに加算し、該加算によって得られたベクトルを単位ベクトル化し、
ｄ）すべての前記定義された対応関係について、前記ａ）からｃ）までのステップを繰り返す、
ことによって、前記原点に向かうベクトルの向きを修正することを特徴とする請求項３に記載の色再現域圧縮方法。
【請求項５】
前記対応関係は、前記入力色値と前記出力色値とを結ぶ中継点の色値を用いて定義され、
前記ラインは、前記特定の入力色値から前記中継点の色値を経由して前記特定の出力色値に至るラインとして定義される、
ことを特徴とする請求項４に記載の色再現域圧縮方法。
【請求項６】
請求項１〜５のいずれか1項に記載の色再現域圧縮方法を用いて色再現域を圧縮する圧縮手段と、
前記圧縮手段によって圧縮された均等色空間上の色値を、前記出力装置に依存する色空間の色値に変換する手段と、
を備えることを特徴とするプロファイル生成装置。
【請求項７】
請求項１〜５のいずれか１項に記載の方法をコンピュータに実行させるプログラム。
【手続補正書】
【提出日】平成26年5月26日(2014.5.26)
【手続補正１】
【補正対象書類名】特許請求の範囲
【補正対象項目名】全文
【補正方法】変更
【補正の内容】
【特許請求の範囲】
【請求項１】
軟骨量を増大させる作用および／または軟骨細胞分化を正常化させる作用を有する物質のスクリーニング方法であって、塩誘導性キナーゼ３を使用することを特徴とする方法。
【請求項２】
塩誘導性キナーゼ３の発現または機能の抑制を測定する工程を含む、請求項１に記載の方法。
【請求項３】
前記測定する工程が、塩誘導性キナーゼ３の基質の活性化レベルの測定により行われる、請求項２に記載の方法。
【請求項４】
前記塩誘導性キナーゼ３の基質の活性化レベルの測定が、塩誘導性キナーゼ３の基質により活性化されるプロモーターに結合したレポーター遺伝子、塩誘導性キナーゼ３発現ベクターおよび塩誘導性キナーゼ３の基質の発現ベクターを導入した細胞において、当該レポーター遺伝子産物量を測定することによって行われる、請求項３に記載の方法。
【請求項５】
前記塩誘導性キナーゼ３の基質により活性化されるプロモーターが５×ＧＡＬ４であり、前記塩誘導性キナーゼ３の基質にはＧＡＬ４が融合されている、請求項４に記載の方法。
【請求項６】
前記塩誘導性キナーゼ３の基質がＴＯＲＣまたはＴＯＲＣ２である、請求項３に記載の方法。
【請求項７】
軟骨量を増大させる作用および／または軟骨細胞分化を正常化させる作用を有する物質が、変形性関節症の治療薬、軟骨損傷の治療薬および軟骨形成異常症の治療薬から成る群より選択される治療薬である、請求項１に記載の方法。
【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
画像を符号化のインター動き予測補償処理を重み係数で重み付けしながら行う重み付け予測のモードである重みモードを、所定の領域毎に判定する重みモード判定部と、
前記重みモード判定部により判定された重みモードを示す重みモード情報を、前記領域毎に生成する重みモード情報生成部と、
前記重みモード情報生成部により生成された前記重みモード情報を符号化する符号化部と
を備える画像処理装置。
【請求項２】
前記重みモードは、前記重み係数を用いて前記インター動き予測補償処理を行う重み付け有りのモードと、前記重み係数を用いずに前記インター動き予測補償処理を行う重み付け無しのモードとを含む
請求項１に記載の画像処理装置。
【請求項３】
前記重みモードは、前記重み係数を用いて、重み係数を伝送するExplicitモードで前記インター動き予測補償処理を行うモードと、前記重み係数を用いて、重み係数を伝送しないInplicitモードで前記インター動き予測補償処理を行うモードとを含む
請求項１または請求項２に記載の画像処理装置。
【請求項４】
前記重みモードは、互いに異なる重み係数を用いて前記インター動き予測補償処理を行う、複数の重み付け有りのモードを含む
請求項１乃至請求項３のいずれかに記載の画像処理装置。
【請求項５】
前記重みモード情報生成部は、前記重みモード情報の代わりに、前記重みモードと、前記インター動き予測補償処理のモードを示すインター予測モードとの組み合わせを示すモード情報を生成する
請求項１乃至請求項４のいずれかに記載の画像処理装置。
【請求項６】
前記重みモード情報生成部が前記重みモード情報を生成する前記領域のサイズを制限する制限部をさらに備える
請求項１乃至請求項５のいずれかに記載の画像処理装置。
【請求項７】
前記領域は、前記インター動き予測補償処理の処理単位の領域である
請求項１乃至請求項６のいずれかに記載の画像処理装置。
【請求項８】
前記領域は、Largest Coding Unit、Coding Unit、若しくは、Prediction Unitである
請求項１乃至請求項７のいずれかに記載の画像処理装置。
【請求項９】
前記符号化部は、前記重みモード情報をCABACで符号化する
請求項１乃至請求項８のいずれかに記載の画像処理装置。
【請求項１０】
画像処理装置の画像処理方法であって、
重みモード判定部が、画像を符号化のインター動き予測補償処理を重み係数で重み付けしながら行う重み付け予測のモードである重みモードを、所定の領域毎に判定し、
重みモード情報生成部が、判定された重みモードを示す重みモード情報を、前記領域毎に生成し、
符号化部が、生成された前記重みモード情報を符号化する
画像処理方法。
【請求項１１】
画像の符号化において、インター動き予測補償処理を重み係数で重み付けしながら行う重み付け予測のモードである重みモードが、所定の領域毎に判定され、前記重みモードを示す重みモード情報が前記領域毎に生成され、前記画像とともに符号化されたビットストリームを復号し、前記ビットストリームに含まれる、前記重みモード情報を抽出する復号部と、
前記復号部により復号されて抽出された前記重みモード情報に示される重みモードで、動き補償処理を行い、予測画像を生成する動き補償部と
を備える画像処理装置。
【請求項１２】
前記重みモードは、前記重み係数を用いて前記動き補償処理を行う重み付け有りのモードと、前記重み係数を用いずに前記動き補償処理を行う重み付け無しのモードとを含む
請求項１１に記載の画像処理装置。
【請求項１３】
前記重みモードは、前記重み係数を用いて、重み係数が伝送されるExplicitモードで前記動き補償処理を行うモードと、前記重み係数を用いて、重み係数が伝送されないInplicitモードで前記動き補償処理を行うモードとを含む
請求項１１または請求項１２に記載の画像処理装置。
【請求項１４】
前記重みモードは、互いに異なる重み係数を用いて前記動き補償処理を行う、複数の重み付け有りのモードを含む
請求項１１乃至請求項１３のいずれかに記載の画像処理装置。
【請求項１５】
重み係数が伝送されないInplicitモードの場合、重み係数を算出する重み係数算出部をさらに備える
請求項１１乃至請求項１４のいずれかに記載の画像処理装置。
【請求項１６】
重みモード情報が存在する前記領域のサイズを制限する制限情報を取得する制限情報取得部をさらに備える
請求項１１乃至請求項１５のいずれかに記載の画像処理装置。
【請求項１７】
前記領域は、前記インター動き予測補償処理の処理単位の領域である
請求項１１乃至請求項１６のいずれかに記載の画像処理装置。
【請求項１８】
前記領域は、Largest Coding Unit、Coding Unit、若しくは、Prediction Unitである
請求項１１乃至請求項１７のいずれかに記載の画像処理装置。
【請求項１９】
前記重みモード情報を含むビットストリームはCABACで符号化されており、前記復号部は、前記ビットストリームをCABACで復号する
請求項１１乃至請求項１８のいずれかに記載の画像処理装置。
【請求項２０】
画像処理装置の画像処理方法であって、
復号部が、画像の符号化において、インター動き予測補償処理を重み係数で重み付けしながら行う重み付け予測のモードである重みモードが、所定の領域毎に判定され、前記重みモードを示す重みモード情報が前記領域毎に生成され、前記画像とともに符号化されたビットストリームを復号し、前記ビットストリームに含まれる、前記重みモード情報を抽出し、
動き補償部が、復号されて抽出された前記重みモード情報に示される重みモードで、動き補償処理を行い、予測画像を生成する
画像処理方法。
【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
L0とL1のそれぞれについて小数画素精度の動き補償を行う動き補償部と、
前記動き補償部による各演算結果を重み付け加算する重み付け加算部と、
前記重み付け加算部による演算結果に丸め処理を行う丸め処理部と
を備える画像処理装置。
【請求項２】
L0とL1の精度を判定する判定部と、
前記判定部の判定結果に基づいて、前記精度を調整する調整部と
をさらに備える請求項１に記載の画像処理装置。
【請求項３】
前記調整部は、L0とL1の一方に所定の係数を乗算することにより、一方の精度を他方の精度に合わせる
請求項２に記載の画像処理装置。
【請求項４】
前記調整部は、L0とL1の内、精度が大きい方を調整し、精度が小さい方に合わせる
請求項３に記載の画像処理装置。
【請求項５】
前記調整部は、L0の精度とL1の精度が互いに等しい場合、前記精度の調整を行わない
請求項３または請求項４に記載の画像処理装置。
【請求項６】
前記調整部は、L0とL1の水平方向の精度および垂直方向の精度の両方に基づいて、前記精度を調整する
請求項３乃至請求項５のいずれかに記載の画像処理装置。
【請求項７】
前記丸め処理部は、動きベクトル精度調整のための乗算処理が2Xであり、重み付け予測処理のための除算処理が2Yであるとすると、前記重み付け加算部の演算処理後、2X+Yの除算処理を行う
請求項１乃至請求項６のいずれかに記載の画像処理装置。
【請求項８】
前記重み付け加算部は、Explicit Weighted Predictionを行う
請求項１乃至請求項７のいずれかに記載の画像処理装置。
【請求項９】
前記重み付け加算部は、Implicit Weighted Predictionを行う
請求項１乃至請求項８のいずれかに記載の画像処理装置。
【請求項１０】
前記重み付け加算部は、Intensity Compensationを行う
請求項１乃至請求項９のいずれかに記載の画像処理装置。
【請求項１１】
画像処理装置の画像処理方法であって、
動き補償部が、L0とL1のそれぞれについて小数画素精度の動き補償を行い、
重み付け加算部が、各演算結果を重み付け加算し、
丸め処理部が、演算結果に丸め処理を行う
画像処理方法。